(57)【要約】      （修正有）【課題】TVリモコンでPC操作を行う際の、カーソル移動による所望アイコンの選択を短時間で行う。【解決手段】ＰＣから映像音声入力部と、ＰＣ制御出力部と、音声提示部と映像提示部とリモコン制御とを備えた機器制御装置であって、ＰＣからの映像音声入力を映像提示部に画面表示する際に、１画面上にＰＣからの映像入力を表示する２つの画面サイズの異なるＰＣウインドと、ＰＣ操作用にキーボードを表示するキーボードウインドとの３ウインドを備える。【選択図】図１
2011192138.tif 000002
【特許請求の範囲】
【請求項１】
ＰＣから映像音声入力部と、ＰＣ制御出力部と、音声提示部と映像提示部とリモコン制御とを備えた機器制御装置であって、上記のＰＣからの映像音声入力を上記映像提示部に画面表示する際に、１画面上にＰＣからの映像入力を表示する２つの画面サイズの異なるＰＣウインドと、ＰＣ操作用にキーボードを表示するキーボードウインドとの３ウインドを備えたことを特徴とする機器制御装置。
【請求項２】
請求項１記載の２つのＰＣウインドには、ＰＣから入力された同一映像を、第１のＰＣウインドにはＰＣから入力された映像を水平垂直方向に縮小し表示し、第２のＰＣウインドにはＰＣから映像を水平垂直方向に縮小せずに表示することを特徴とする請求項１記載の機器制御装置。
【請求項３】
請求項２記載の第１のＰＣウインドで第１段のカーソル移動を行い、第２のＰＣウインドで第２段のカーソル移動を行い、所望アイコンまでカーソルを移動することを特徴とする請求項１記載の機器制御装置。
【請求項４】
請求項３記載の第１段のカーソル移動と、第２段のカーソル移動は請求項１記載のリモコン制御で行うことを特徴とする請求項１記載の機器制御装置。
【請求項５】
請求項１記載のリモコンは、上下左右の方向制御ボタンと決定制御ボタンとを有し、上記リモコンの上下左右の方向制御ボタンと決定制御ボタンで請求項３記載のカーソル移動を行うことを特徴とする請求項１記載の機器制御装置。
【請求項６】
請求項５記載のカーソル移動情報を、ＰＣ制御出力として請求項１記載のＰＣに対して出力するＰＣ制御出力部を備えたことを特徴とする請求項１記載の機器制御装置。
【発明の詳細な説明】
【技術分野】
【０００１】
本発明は、ＴＶに接続されたＰＣをＴＶより制御する機器制御装置に関するものである。
【背景技術】
【０００２】
ＴＶのリモコンによりキーボード操作やマウス操作を行うものがある。具体的には、テレビジョン受信機の操作に用いられるリモコン装置から送信された制御信号をパーソナルコンピュータ用のＰＣ制御信号に変換する変換手段を設けることにより、テレビのリモコンにより、ＰＣを操作可能とするものである（例えば、特許文献１）。
【先行技術文献】
【特許文献】
【０００３】
【特許文献１】特開平１０−１１６１４５号公報
【発明の概要】
【発明が解決しようとする課題】
【０００４】
しかしながら、先行技術では、TVリモコンでのPC操作時にカーソルをＴＶ画面全面で動かす必要があり、さらにTVリモコンでは低速でコマンドを送信するので、PCの様にスムーズなカーソル動作が行えず、所望のアイコンまでカーソルを持って行くのに時間がかかるという課題がある。
【課題を解決するための手段】
【０００５】
上記課題に対し、本発明では、PCからの映像入力を、同一の映像について、異なる画面サイズの画面、例えば、非縮小画面（縮小されていない画面）と縮小画面の２画面で表示を行い、さらにキーボード（ソフトウェアキーボード）を同時に表示（キーボード画面）し、TVからのPC操作を行う。具体的には、TVでPC入力を選択し、上記のキーボード画面を映像提示部に表示する。この時点では上記のPC映像の縮小画面でのカーソル移動が、TVリモコンで可能とし、縮小画面上で所望のカーソルまで移動する（TVリモコンの方向ボタンを使用）。これにより、本発明では縮小画面でカーソル移動を行うことで、アイコン選択までの時間を短縮可能である。
さらに、PCからの映像信号に対して、非縮小画面を見ながら操作することで、縮小画面によりアイコンの文字などを識別することを困難になることを防止することが可能になる。縮小画面で所望アイコンを選択するにはTVリモコンの決定キーを押す。この時点でTVのリモコンでは、PC非縮小画面での操作が可能となり、必要であれば非縮小画面で微調整（TVリモコンでの方向ボタン使用）し、微調整後決定キーを押すことでアイコンを選択が完了となる。微調整が不要であれば決定キーを押すだけで所望のアイコンの選択が完了する。
本発明では、縮小画面でカーソル移動操作を行う際、非縮小画面も参照しながらカーソルを移動するので微調整は殆ど発生せず、縮小画面でのカーソル操作後の決定キーを２回押すことで、所望のアイコンが選択できるので、短時間でのアイコン選択が可能となる。
また、アイコン決定後は、TV視聴操作に影響がない例えばデータ放送用のボタン（４色ボタン）に、マウスのクリック操作機能やキーボード操作への移行機能をわりあて、PC操作を行う。
【発明の効果】
【０００６】
本発明はTVリモコンでPC操作を行う際の、カーソル移動による所望アイコンの選択を短時間で行うことが可能となるという効果がある。
【図面の簡単な説明】
【０００７】
【図１】本発明の一実施の形態に係る機器制御装置のブロック図
【図２】本発明の一実施の形態に係る映像提示部の説明図
【図３】本発明の一実施の形態に係るリモコンの説明図
【図４】本発明の一実施の形態に係る機器制御装置のフローチャート
【図５】本発明の一実施の形態に係るカーソル移動動作の説明図１
【図６】本発明の一実施の形態に係るカーソル移動動作の説明図２
【図７】本発明の一実施の形態に係るカーソル移動動作の説明図３
【図８】本発明の一実施の形態に係る図形描画動作の説明図１
【図９】本発明の一実施の形態に係る図形描画動作の説明図２
【図１０】本発明の一実施の形態に係る図形描画動作の説明図３
【図１１】本発明の一実施の形態に係る図形描画動作の説明図４
【図１２】本発明の一実施の形態に係る図形描画動作の説明図５
【図１３】本発明の一実施の形態に係る図形描画動作の説明図６
【図１４】本発明の一実施の形態に係る図形描画動作の説明図７
【図１５】本発明の一実施の形態に係る図形描画動作の説明図８
【図１６】本発明の一実施の形態に係る図形描画動作の説明図９
【図１７】本発明の一実施の形態に係るドラッグ動作の説明図１
【図１８】本発明の一実施の形態に係るドラッグ動作の説明図２
【図１９】本発明の一実施の形態に係るドラッグ動作の説明図３
【図２０】本発明の一実施の形態に係るドラッグ動作の説明図４
【図２１】本発明の一実施の形態に係るテキスト入力動作の説明図
【発明を実施するための形態】
【０００８】
以下本発明を実施するための最良の形態について、図面を参照しながら説明する。
【０００９】
（実施の形態１）
図１は、本発明の実施例における機器制御装置のブロック図である。図１において、機器制御装置１００は、アンテナ１より放送を受信し、映像をパネルにより構成される映像提示部１１０に、音声をスピーカーにより構成さえる音声提示部１１１に提示するとともに、ＰＣ２より映像音声を入力し、映像を同様に映像提示部１１０に、音声を同様に音声提示部１１１に提示し、さらにリモコン３を操作することでＰＣ２を制御する制御信号をＰＣ２に対して出力する構成となっている。以下に具体的な構成について説明する。
以上の構成に基づいて、具体的な処理について説明する。機器制御装置１００では、放送受信部１０１でアンテナ１より受信した放送波をＴＶ信号に復調し、映像音声処理部１０６に出力し、映像音声処理部１０６では画質処理や音質処理を行い、映像は合成部１０８で機器制御部１０７で生成したグラフィックスと合成した後映像提示部１１０に出力し、音声は音声提示部１１１に出力する。
またＰＣ２より入力された信号は、映像・音声入力部１０２でＴＶ信号に変換した後、映像音声処理部１０６では画質処理や音質処理を行い、映像は合成部１０８では、ＰＣ２からの映像（全面）の縮小を行い、ＰＣ２からの映像（縮小なし）とＰＣ２からの映像（縮小あり）と、機器制御部１０７で生成したグラフィックスキーボードを合成した後、映像提示部１１０に出力し、音声は音声提示部１１１に出力する。なお、映像音声処理部１０６での合成は、提示制御部１０９の制御に基づき行う。提示制御部１０９では、ＴＶ表示時には機器制御部１０７で生成したグラフィックス表示位置を制御し、ＰＣ表示時には、映像提示部１１０にＰＣウインド（縮小）とＰＣウインド（縮小なし）とキーボードウインドの表示位置を制御し、それぞれの信号を表示する。
さらに、ＰＣ２からの映像音声を提示する際には、リモコン３で操作した、カーソル制御情報やキーボード制御情報をＰＣ制御Ｉ／Ｆ部１０４を介し、ＰＣ２に対して制御信号を出力する。ＰＣ２への制御信号は、ＵＳＢなどのＰＣで汎用的に使用されている制御Ｉ／Ｆ１０４で行う。
【００１０】
機器制御部１０７は、ＣＰＵ、プログラムメモリ、主記憶メモリ、グラフィックス生成部で構成し、リモコン３からの信号をリモコンＩ／Ｆ部１０５で受信し、機器制御装置１００を制御する。以上の構成に基づいて、ＰＣからの映像信号を、異なる画像サイズで、例えば、縮小しない非縮小画像と縮小した縮小画像とを表示する方法について説明する。
【００１１】
図２は、ＰＣ２からの映像音声信号を提示する場合の映像提示部１１０の一例を示す図であり、この例においては、ＰＣウインド（縮小あり）とＰＣウインド（縮小なし）とキーボードウインドを表示する。
【００１２】
ここでＰＣウインド（縮小）には、ＰＣ２からの映像信号を水平垂直に縮小スケーリングした映像を表示し、ＰＣウインド（縮小なし）には、ＰＣ２からの映像信号を水平垂直にスケーリングしない映像を表示する。なお映像提示画面サイズによって、ＰＣウインド（縮小なし）を、若干水平垂直に縮小/拡大スケーリングする場合も考えられる。つまり、本実施の形態においては、縮小あり、縮小なしにより異なる画像サイズの画像を表示しているが、本発明はこれに限定されるものではなく、例えば、両方の画像を異なる縮小率で縮小する場合や、一つの画像を拡大し、他方の画像を縮小する等の構成を採用することも可能である。
【００１３】
この図２から明らかなように、ＰＣ２から入力された同一のコンテンツ（画像）が、複数の異なる画像サイズで一つの画面上に表示されている。また、その画面上には、リモコン３からの信号をカーソルとして表示しており、さらに、機器制御部１０７で生成したグラフィックス映像が一つの画面上に表示されている。
【００１４】
次に、リモコン３の構成について説明する。図３は、リモコン３の一例を示す図である。本発明のリモコン３は、上下左右制御用の方向操作ボタンと、４色のデータ放送用ボタンと、選局/音声制御などＴＶ操作ボタンの構成からなる。なお、これらは一例であって、複数のデータ放送用のボタン以外であっても、テレビの視聴に必要なＴＶ操作ボタン以外であれば良い。
図４は、本発明の実施例における機器制御装置のフローチャートである。
【００１５】
機器制御装置１００は、機器制御装置１００への入力信号でＰＣ２をセレクトするＰＣ入力セレクトステップ（Ｓ１）と、ＰＣウインド（縮小）でのカーソル移動を行うステップ（Ｓ２）と、ＰＣウインド（縮小）でのカーソル移動情報をＰＣ２に送信するPCに移動情報（大まか）送信ステップ（Ｓ３）と、ＰＣウインド（縮小）でのカーソル移動が所望の位置まで移動できたかを確認する所望位置確認ステップ（Ｓ４）と、ＰＣウインド（縮小なし）でのカーソル移動を行うステップ（Ｓ５）と、ＰＣウインド（縮小なし）でのカーソル移動情報をＰＣ２に送信するPCに移動情報（微調整）送信ステップ（Ｓ６）と、ＰＣウインド（縮小なし）でのカーソル移動が所望の位置まで移動できたかを確認する所望位置確認ステップ（Ｓ７）と、所望のカーソルまで移動後に、ＰＣ３に対してマウスのクリック操作機能を用いてマウスコマンドを制御する、左クリックセレクトステップ（Ｓ８）と、ドラッグセレクトステップ（Ｓ９）と、右クリックセレクトステップ（Ｓ１０）と、左ダブルクリックセレクトステップ（Ｓ１２）と、ＰＣ３に対してマウスコマンド情報を送信するステップ（Ｓ１３）と、キーボード操作に移行するステップ（Ｓ１１）と、キーボードを操作する際のキーボードでの文字／記号入力ステップ（Ｓ１４）と、PC３にキーボード操作情報（キーコード）情報送信するステップ（Ｓ１５）と、キーボード入力完了確認ステップ（Ｓ１６）とで制御する。
以下、図面を用いて詳細に説明する。
【００１６】
ＰＣ入力セレクトステップ（Ｓ１）で、ＰＣ３からの映像音声入力を行うようにすることで、図２に示した画面が映像提示部１１０に提示される。
【００１７】
図５、図６、図７は所望のカーソルを選択するまでの説明図である。図５は、図４のフローチャートのカーソル移動（大まか）の説明図である。
【００１８】
本発明では、まずＰＣウインド（縮小）で、所望アイコンまでの大まかなカーソル移動を行う。カーソル移動はリモコン３の方向操作ボタンを使用する。
本発明ではＰＣウインド（縮小）では、画素を間引いた状態で、カーソル移動を行うので移動画素数が減らせるので所望アイコン選択までの移動時間を短縮できる。
例えば、１／４に縮小したなら、ＰＣウインド（縮小）で２画素移動させると、ＰＣウインド（縮小なし）では、４倍の８画素移動したことになる。
さらに縮小画面によりアイコンの文字などが見づらくなり操作性が劣化するが、PC非縮小画面を脇見しながら操作することで操作性の劣化は防ぐことができる。
縮小画面での所望アイコンを選択するにはリモコン３の決定キーを押す。この時点リモコン３では、PCウインド（縮小なし）での操作が可能となる。
図６は、図４のフローチャートのカーソル移動（微調）の説明図である。PCウインド（縮小なし）での操作は、カーソル移動の微調整必要であれば、リモコン３の方向操作ボタンで所望アイコンまでカーソルを移動し（図７）、その後リモコン３の決定キーを押すことでアイコンを選択が完了となる。微調が不要であればPCウインド（縮小なし）での操作に移った段階で、リモコン３の決定キーを押すだけで所望アイコンの選択が完了する。
本発明では、縮小画面でカーソル移動操作を行う際、非縮小画面も参照しながらカーソルを移動するので微調は殆ど発生せず、縮小画面でのカーソル移動後に決定キーを２回押すことで、所望のアイコンが選択できるので、短時間でのアイコン選択が可能となる。
アイコン決定後は、TV視聴操作に影響がない例えばデータ放送用のボタン（４色ボタン）に、マウスのクリック操作機能やキーボード操作への移行機能をわりあて、PC操作を行う。
マウスのクリック操作機能とは、例えば２ボタンマウス（左ボタン、右ボタン）であれば、左ボタンを１回クリック（左クリック）でアイコンを選択し、左ボタンを２回連続クリック（左ダブルクリック）することで当該アイコンのアプリを起動し、左ボタンをセレクトし続けることでアイコンをドラッグしアイコンの移動などができ、右ボタンをクリック（右クリック）で当該アイコンの起動メニューやプロパティを選択することができる。
ＰＣ３に対してのマウスコマンド制御は、左クリックセレクト（Ｓ８）は、黄ボタンセレクトで行い、ドラッグセレクト（Ｓ９）は青ボタンセレクトで行い、右クリックセレクト（Ｓ１０）は緑ボタンセレクトで行い、左ダブルクリックセレクト（Ｓ１２）は黄ボタンセレクト２回で行う。左ダブルクリックセレクト（Ｓ１２）は別のボタンを用意してもよい。
ＰＣ２に対してマウスコマンド情報の送信（Ｓ１３）は、上記の４色ボタンセレクト時に行う。また赤ボタンをセレクトするとキーボード操作に移行（Ｓ１１）する。
キーボードを操作する際のキーボードでの文字／記号入力（Ｓ１４）は、キーボードウインド上のキーをリモコン３の方向制御ボタンでセレクトし行う。キーボード上で、所望のキーボタンをセレクトすることで（決定キーを押す）、ＰＣ２にキーボード操作情報（キーコード）情報（Ｓ１５）を送信する。キーボードでの入力が完了（Ｓ１６）するまでキーボード操作を続け、キーボード入力が完了すれば、次のＰＣ制御に移行する。
図８から図１６は、本発明で図形描画を行う実施例を示す図である。
図８は、図形描画アプリが起動した状態であり、四角形を描画するには、まずＰＣウインド（縮小）で、四角形描画アイコンまで、カーソルを移動し（図９）、リモコン３の決定キーを押す。ここでＰＣウインド（縮小なし）でのカーソル移動（微調整）を行い（図１０）、再度リモコン３の決定キーを押す。この段階で四角形描画の始点をＰＣウインド（縮小）で指定する（図１１）。始点が決まれば、リモコン３の決定キーを押す。ここでＰＣウインド（縮小なし）での始点調整（微調整）を行い（図１２）、再度リモコン３の決定キーを押す。この段階で四角形描画の終点をＰＣウインド（縮小）で指定する（図１３、図１４）。終点が決まれば、リモコン３の決定キーを押す。ここでＰＣウインド（縮小なし）での終点調整（微調整）を行い（図１５）、再度リモコン３の決定キーを押す。以上で四角形を描画が完了となる（図１６）。
図１７、図１８は、本発明でアイコン移動を行う実施例を示す図である。
図１７は、移動したいアイコンまでカーソルが移動（微調整）された状態であり、リモコン３の青キーを選択することで、所望アイコンがドラッグ状態となり（図１８）、ＰＣウインド（縮小）でのアイコン移動を行い、移動後、リモコン３の決定キーを押す。ここでＰＣウインド（縮小なし）での位置調整（微調整）を行い（図１９）、再度リモコン３の決定キーを押す。以上でアイコン移動が完了となる（図２０）。
図２１は、本発明でテキスト入力を行う実施例を示す。
図２１は、テキスト入力アプリが起動後にリモコン３の赤ボタンをセレクトし、キーボード操作に移行した状態であり、キーボードウインド上で、所望のキーボタンをセレクトすることで（決定キーを押す）、ＰＣ２にキーボード操作情報（キーコード）情報を送信する。キーボードでの入力が完了するまでキーボード操作を続け、キーボード入力が完了すれば、次のＰＣ制御に移行する。
【００１９】
なお本発明では、ディジタル放送で多用されているリモコンの（リモコン３）の流用を考慮し方向操作に上下左右制御で説明したが、レコーダーなどのリモコンで上下左右に加え斜め方向制御を加えた８方向制御のもがあるが、このリモコンでも同様な効果を得ることができる。
同様にマウス操作機能を４色ボタンを使用したのは、ディジタル放送で多様されているリモコンの流用を考慮したためであり、４色ボタンとは別途、マウス操作用の専用ボタンを４個のリモコンに用意すれば、リモコンのボタン機能をデータ放送機能と兼用することなく実現でき、データ放送とＰＣを同一画面で視聴、操作することが可能となる。
【００２０】
さらに本発明では、黄ボタン１つで、１回クリックとダブルクリックを行う構成としているがこれも、ディジタル放送で多様されているリモコンを流用を考えた場合であり、ダブルクリック要の専用ボタンを１個リモコンに追加することで、ダブルクリックという操作を容易に行うことが可能となる。
【産業上の利用可能性】
【００２１】
本発明は、ＴＶに接続されたＰＣをＴＶより制御する機器制御装置に関するものであり、TVリモコンでPC操作を行う際の、カーソル移動による所望アイコンの選択を短時間で行うことが可能となるので、ＴＶ受信機に高価なＰＣ機能を搭載することなく、ＴＶでＰＣ機能を操作性よく操作することが可能となる。
【符号の説明】
【００２２】
１  アンテナ
２  ＰＣ
３  リモコン
１００  機器制御装置
１０１  放送受信部
１０２  映像・音声入力部
１０４  ＰＣ制御Ｉ／Ｆ部
１０５  リモコンＩ／Ｆ部
１０６  映像音声処理部
１０７  機器制御部
１０８  合成部
１０９  提示制御部
１１０  映像提示部
１１１  音声提示部
【図１】
2011192138.tif 000003
【図２】
2011192138.tif 000004
【図３】
2011192138.tif 000005
【図４】
2011192138.tif 000006
【図５】
2011192138.tif 000007
【図６】
2011192138.tif 000008
【図７】
2011192138.tif 000009
【図８】
2011192138.tif 000010
【図９】
2011192138.tif 000011
【図１０】
2011192138.tif 000012
【図１１】
2011192138.tif 000013
【図１２】
2011192138.tif 000014
【図１３】
2011192138.tif 000015
【図１４】
2011192138.tif 000016
【図１５】
2011192138.tif 000017
【図１６】
2011192138.tif 000018
【図１７】
2011192138.tif 000019
【図１８】
2011192138.tif 000020
【図１９】
2011192138.tif 000021
【図２０】
2011192138.tif 000022
【図２１】
2011192138.tif 000023